(57)【要約】【課題】定着復帰処理で使用する電力を抑制する。【解決手段】画像形成装置は、定着部と、温度検知部と、電源部と、復帰条件が満たされたときに、定着復帰処理を含む予め定められた復帰処理を行うことにより、画像形成装置を通常モードへ復帰させる制御部と、光発電モジュールと、光発電モジュールから出力される電力を充電するとともに、電源部から温度検知部への電力供給が停止されているときに温度検知部へ電力供給を行う蓄電給電部と、を備え、制御部は、復帰条件が満たされたとき、温度検知部の出力に基づき定着部の温度を検知し、復帰時温度が高いほど、定着復帰処理の開始タイミングを遅くし、復帰時温度が低いほど、定着復帰処理の開始タイミングを早くする。【選択図】図８
2018084669.tif 000002
【特許請求の範囲】
【請求項１】
通常モードおよび前記通常モードよりも消費電力を抑制する省電力モードを搭載し、前記省電力モード時に予め定められた復帰条件が満たされると前記通常モードへ復帰する画像形成装置であって、
電力供給を受けて昇温する定着部材を含み、所定温度に昇温された前記定着部材によって用紙に印刷された画像を用紙に定着させる定着部と、
電力供給を受けて前記定着部の温度に応じた電圧を出力する温度検知部と、
前記通常モード時には前記定着部および前記温度検知部へ電力供給を行い、前記省電力モード時には前記定着部および前記温度検知部への電力供給を停止する電源部と、
前記温度検知部の出力に基づき前記定着部の温度を検知して前記定着部の温度制御を行うとともに、前記復帰条件が満たされたときには、前記定着部の温度を前記所定温度に昇温させる定着復帰処理を含む予め定められた復帰処理を行うことにより、前記画像形成装置を前記通常モードへ復帰させる制御部と、
光を受けて発電する光発電モジュールと、
前記光発電モジュールから出力される電力を充電するとともに、前記電源部から前記温度検知部への電力供給が停止されているときに、前記温度検知部へ電力供給を行う蓄電給電部と、を備え、
前記制御部は、前記復帰条件が満たされたとき、前記温度検知部の出力に基づき前記定着部の温度を検知し、当該検知した温度である復帰時温度が高いほど、前記定着復帰処理の開始タイミングを遅くし、前記復帰時温度が低いほど、前記定着復帰処理の開始タイミングを早くすることを特徴とする画像形成装置。
【請求項２】
前記復帰条件が満たされてから前記定着復帰処理を開始するまでの待ち時間を予め定めた情報であって、前記定着部の温度が高いほど、前記待ち時間が長くなるように、前記定着部の温度に対応する前記待ち時間を予め定めた情報である待ち時間情報を記憶する記憶部を備え、
前記制御部は、前記待ち時間情報に基づき、前記復帰時温度に対応する前記待ち時間を対象待ち時間として判別し、前記復帰条件が満たされてから、前記対象待ち時間が経過したタイミングで、前記定着復帰処理を開始することを特徴とする請求項１に記載の画像形成装置。
【請求項３】
ユーザーから操作を受け付ける操作面を有する操作パネルと、
前記光発電モジュールが前記操作パネルの操作面の上方に配置されるように、前記光発電モジュールを支持する支持部材と、を備え、
前記光発電モジュールは、前記支持部材に対して回動可能に支持されることを特徴とする請求項１または２に記載の画像形成装置。
【請求項４】
前記支持部材は、第１位置と第２位置との間で回動するよう装置本体に取り付けられ、
前記支持部材が前記第１位置に向かって回動することによって前記光発電モジュールが前記操作パネルの操作面に接近する方向に移動し、前記支持部材が前記第１位置に到達すると前記光発電モジュールが前記操作パネルの操作面を塞ぎ、前記支持部材が前記第１位置から前記第２位置に向かって回動することによって前記光発電モジュールが前記操作パネルの操作面から離れる方向に移動するように、前記光発電モジュールが前記支持部材に支持されることを特徴とする請求項３に記載の画像形成装置。
【請求項５】
前記操作パネルの操作面には、表示光を発する表示パネルが配置され、
前記光発電モジュールは、表面および裏面の両面が受光面として機能する両面受光型の光発電モジュールであることを特徴とする請求項４に記載の画像形成装置。
【請求項６】
前記支持部材が前記第１位置から前記第２位置に向かって回動するよう付勢する付勢部材を備え、
前記光発電モジュールには、第１係合部が設けられるとともに、前記操作パネルには、前記第１係合部と係合可能な第２係合部が設けられており、
前記第１係合部および前記第２係合部は、前記支持部材が前記第１位置に在るときに、互いに係合することを特徴とする請求項４または５に記載の画像形成装置。
【請求項７】
前記支持部材は、レール部材と、前記レール部材にスライド可能に支持されるスライド部材とを含み、
前記光発電モジュールは、前記スライド部材に支持されることを特徴とする請求項３〜６のいずれか１項に記載の画像形成装置。
【請求項８】
前記支持部材は、内側に収容スペースが確保されるように形成されており、前記光発電モジュールから延びる電線を前記収容スペースに収容することを特徴とする請求項３〜７のいずれか１項に記載の画像形成装置。
【発明の詳細な説明】
【技術分野】
【０００１】
本発明は、消費電力を抑制する省電力モードを搭載する画像形成装置に関する。
【背景技術】
【０００２】
従来、電力供給モードとして、通常モードおよび通常モードよりも消費電力を抑制する省電力モードを搭載する画像形成装置が知られている。このような画像形成装置は、たとえば、特許文献１に開示されている。
【０００３】
特許文献１の画像形成装置は、画像形成装置が使用されないまま経過した時間が所定時間に達したり、操作パネルに設けられた節電キーに対する操作が行われたりすると、通常モードから省電力モードへ移行する。画像形成装置が省電力モードへ移行した場合、画像読取部や印刷部など画像形成装置の大部分に対する電力供給が停止される。
【先行技術文献】
【特許文献】
【０００４】
【特許文献１】特開２０１５−１８９５号公報
【発明の概要】
【発明が解決しようとする課題】
【０００５】
従来の画像形成装置では、省電力モードのとき、予め定められた復帰条件が満たされると、省電力モードから通常モードへ復帰する。たとえば、復帰条件が満たされると、画像形成装置の制御部によって、画像形成装置を通常モードへ復帰させるための予め定められた復帰処理が行われる。そして、制御部による復帰処理が完了することにより、画像形成装置が通常モードへ復帰する。なお、復帰処理は、種々の処理を含む。たとえば、用紙に転写したトナー像を用紙に定着させる定着部が画像形成装置に設けられる場合には、定着部の温度を所定温度に昇温させる定着復帰処理が復帰処理の一処理として行われる。
【０００６】
ここで、画像形成装置が省電力モードへ移行して以降、定着部がそれほど冷めていない状態（定着部の温度が比較的高い状態）で復帰条件が満たされたとする。この場合には、定着部の温度を所定温度に昇温させるのに要する時間が短く済む。しかし、定着部の温度が所定温度に到達した時点で、復帰処理のうち定着復帰処理以外の他の処理が完了していなければ、定着部の温度が所定温度に到達して以降、定着部の温度を所定温度に維持する処理を定着復帰処理として行う必要がある。このため、定着部の温度を所定温度に昇温させるのに要する時間が短く済むにもかかわらず、定着復帰処理で使用する電力が抑制されないという不都合が生じる。
【０００７】
本発明は、上記課題を解決するためになされたものであり、画像形成装置を省電力モードから通常モードへ復帰させるときに行われる定着復帰処理で使用する電力を抑制することが可能な画像形成装置を提供することを目的とする。
【課題を解決するための手段】
【０００８】
上記目的を達成するため、本発明の画像形成装置は、通常モードおよび通常モードよりも消費電力を抑制する省電力モードを搭載し、省電力モード時に予め定められた復帰条件が満たされると通常モードへ復帰する画像形成装置であって、電力供給を受けて昇温する定着部材を含み、所定温度に昇温された定着部材によって用紙に印刷された画像を用紙に定着させる定着部と、電力供給を受けて定着部の温度に応じた電圧を出力する温度検知部と、通常モード時には定着部および温度検知部へ電力供給を行い、省電力モード時には定着部および温度検知部への電力供給を停止する電源部と、温度検知部の出力に基づき定着部の温度を検知して定着部の温度制御を行うとともに、復帰条件が満たされたときには、定着部の温度を所定温度に昇温させる定着復帰処理を含む予め定められた復帰処理を行うことにより、画像形成装置を通常モードへ復帰させる制御部と、光を受けて発電する光発電モジュールと、光発電モジュールから出力される電力を充電するとともに、電源部から温度検知部への電力供給が停止されているときに、温度検知部へ電力供給を行う蓄電給電部と、を備え、制御部は、復帰条件が満たされたとき、温度検知部の出力に基づき定着部の温度を検知し、当該検知した温度である復帰時温度が高いほど、定着復帰処理の開始タイミングを遅くし、復帰時温度が低いほど、定着復帰処理の開始タイミングを早くする。
【０００９】
本発明の構成では、復帰条件が満たされたときに制御部により検知された復帰時温度が高いほど（定着部の温度を所定温度に昇温させるのに要する時間が短いほど）、定着復帰処理の開始タイミングが遅くなるので、復帰処理のうち定着復帰処理以外の他の処理が完了するタイミングに対して定着部の温度が所定温度に到達するタイミングが早くなり過ぎるのを抑制することができる（各タイミングの時間差を小さくすることができる）。ここで、定着部の温度が所定温度に到達したとき、他の処理が完了していなければ、定着部の温度を所定温度に維持する温度維持処理を定着復帰処理として追加的に行う必要がある。しかし、前記時間差を小さくすることができれば、温度維持処理の処理時間が短くなる。これにより、温度維持処理を含む定着復帰処理の処理時間が短くなるので、定着復帰処理で使用する電力を抑制することができる。
【００１０】
また、本発明の構成では、復帰条件が満たされたとき（省電力モードのとき）には電源部から温度検知部への電力供給は停止されているが、蓄電給電部から温度検知部へは電力が供給されている。これにより、制御部は、復帰条件が満たされたとき、直ちに、定着部の温度検知（復帰時温度の検知）を行うことができ、定着復帰処理の開始タイミングを遅くするか早くするかの判断を行うことができる。
【発明の効果】
【００１１】
本発明の構成では、省電力モードから通常モードへ復帰させるときに行われる定着復帰処理で使用する電力を抑制することができる。
【図面の簡単な説明】
【００１２】
【図１】本発明の一実施形態による複合機の全体構成を示す斜視図
【図２】本発明の一実施形態による複合機の定着部の構成を示す図
【図３】本発明の一実施形態による複合機に装着される操作パネルの構成を示す斜視図
【図４】本発明の一実施形態による複合機に装着される光発電モジュールの構成を示す断面図
【図５】本発明の一実施形態による複合機のハードウェア構成を示す図
【図６】本発明の一実施形態による複合機にて行われる定着復帰処理の開始タイミングについて説明するための図
【図７】本発明の一実施形態による複合機にて行われる定着復帰処理の開始タイミングについて説明するための図
【図８】本発明の一実施形態による複合機にて行われる定着復帰処理の流れを示すフローチャート
【図９】本発明の一実施形態による複合機を上方から見た場合の図
【図１０】本発明の一実施形態による複合機に取り付けられる支持部材の周辺部分を側方から見た場合の図（支持部材が上限位置に在るときの図）
【図１１】本発明の一実施形態による複合機に取り付けられる支持部材の周辺部分を側方から見た場合の図（光発電モジュールを支持部材に対して上方に回動したときの図）
【図１２】本発明の一実施形態による複合機に取り付けられる支持部材の周辺部分を側方から見た場合の図（支持部材が下限位置に在るときの図）
【図１３】本発明の一実施形態による複合機に取り付けられる支持部材の周辺部分を側方から見た場合の図（支持部材が回動しているときの図）
【図１４】本発明の一実施形態による複合機に装着される光発電モジュールおよび操作パネルの各係合部の構造を示す図
【図１５】本発明の一実施形態による複合機に取り付けられる支持部材の構造を示す図
【図１６】本発明の一実施形態による複合機に取り付けられる支持部材の断面図
【発明を実施するための形態】
【００１３】
本発明の一実施形態による画像形成装置について、複合機を例にとって説明する。
【００１４】
＜複合機の全体構成＞
図１に示すように、本実施形態の複合機１００の装置本体１００Ａは、画像読取部１０や印刷部２０、操作パネル３０などで構成される。そして、この装置本体１００Ａには、光発電モジュール４０が装着される。なお、図１では、光発電モジュール４０をドット柄で示す。
【００１５】
画像読取部１０は、原稿を光学的に読み取って原稿の画像データを生成する。イメージセンサーなど画像読取部１０の光学系部材（図示せず）は、画像読取部１０の筐体１１（以下、読取筐体１１と称する）の内部に配置される。また、画像読取部１０は、読取位置への原稿の自動搬送を行うための原稿搬送装置ユニット１２を含む。この原稿搬送ユニット１２は、読取筐体１１の後面側の部分に設けられた回動軸（図示せず）を支点として回動可能となっている。
【００１６】
印刷部２０は、装置本体１００Ａに収容された用紙を印刷位置に搬送するとともに、印刷すべき画像の画像データ（原稿の画像データなど）に基づきトナー像を形成する。そして、印刷部２０は、搬送中の用紙が印刷位置を通過するとき、その用紙にトナー像を転写する。
【００１７】
また、印刷部２０は、図２に示すように、用紙（図２では符号「Ｐ」を付す）に転写されたトナー像を用紙Ｐに定着させるための定着部２１を備える。定着部２１は、加熱ローラー２２ａと加圧ローラー２２ｂとで構成される定着ローラー対２２（「定着部材」に相当）を含む。加熱ローラー２２ａは、ヒーター２３を内蔵する。加圧ローラー２２ｂは、加熱ローラー２２ａに圧接し、加熱ローラー２２ａとの間で定着ニップを形成する。定着ローラー対２２は、ヒーター２３によって所定温度に加熱される。そして、定着ローラー対２２は、定着ニップを通過する用紙Ｐを加熱および加圧することにより、用紙Ｐに転写されたトナー像を用紙Ｐに定着させる。
【００１８】
操作パネル３０は、図３に示すように、読取筐体１１の前面側において、その操作面３０ａ（上方に向く面）が後方から前方に向かって斜め下に傾斜するよう配置される。たとえば、操作パネル３０の外郭を成す筐体３１（以下、パネル筐体３１と称する）が読取筐体１１の前面側の部分に固定される。なお、図３では、便宜上、光発電モジュール４０を省略する。
【００１９】
操作パネル３０の操作面３０ａには、タッチパネルディスプレイ３２やハードウェアキー３３が配置される。タッチパネルディスプレイ３２やハードウェアキー３３は、パネル筐体３１の内部で保持され、パネル筐体３１の上面（すなわち、操作面３０ａ）に形成された開口を介して外部に露出される。なお、タッチパネルディスプレイ３２は「表示パネル」に相当する。
【００２０】
たとえば、タッチパネルディスプレイ３２は、タッチパネル付きの液晶表示パネルであって、ジョブ実行条件の設定など各種設定をユーザーから受け付けるためのソフトウェアキーを表示する（表示光を発する）。ハードウェアキー３３は、スタートキーやテンキーなどを含む。
【００２１】
図１に戻って、光発電モジュール４０は、支持部材５０を介して、読取筐体１１に取り付けられる。あるいは、変形例として、光発電モジュール４０がパネル筐体３１に取り付けられてもよい。なお、光発電モジュール４０の取付構造については、後に詳細に説明する。
【００２２】
光発電モジュール４０は、図４に示すように、筐体４１（以下、モジュール筐体４１と称する）を備える。このモジュール筐体４１は、枠状に形成される。そして、モジュール筐体４１（枠体）の枠内には、太陽光や人工光（蛍光灯などの光）を受けて発電する太陽電池４２が複数収容される。たとえば、太陽電池４２は、表面および裏面の両面が受光面として機能する両面受光型である。
【００２３】
光発電モジュール４０の表面側および裏面側にはそれぞれ透明板４３が設けられ、一対の透明板４３の間に太陽電池４２が配置される。なお、一対の透明板４３の間の領域のうち太陽電池４２が配置されない領域には、透明な充填材４４が充填される。そして、太陽電池４２は、一対の透明板４３の外側に向く各面から入射した光を電力に変換する（光を受けて発電する）。以下の説明では、一方の透明板４３の外側面を第１受光面４０ａと称し、他方の透明板４３の外側面を第２受光面４０ｂと称する。
【００２４】
また、図５に示すように、複合機１００は、制御部２００を備える。以下の説明では、制御部２００が主制御部２１０とエンジン制御部２２０との２つに分割されている場合を例にとるが、制御部２００が２つに分割されていなくてもよい。
【００２５】
主制御部２１０は、ＣＰＵ２１１およびメモリー２１２（ＲＯＭおよびＲＡＭなど）を含む。たとえば、主制御部２１０は、複合機１００の全体制御を行う。また、主制御部２１０は、操作パネル３０の表示動作を制御するとともに、操作パネル３０に対して行われた操作を検知する。
【００２６】
また、主制御部２１０は、通信部２１３を介して、パーソナルコンピューター（ユーザー端末）などの外部機器１０００と通信する。通信部２１３は、外部機器１０００を複合機１００にネットワーク接続するためのネットワークインターフェースである。
【００２７】
主制御部２１０は、通信部２１３が外部機器１０００から通信要求を受信したか否かの受信検知を行う。外部機器１０００から通信要求を受信したことを検知したとき、主制御部２１０は、通信部２１３を介して外部機器１０００と通信する。当該通信において、外部機器１０００から、印刷ジョブのジョブデータ（印刷すべき画像の画像データ、ジョブを実行するときのジョブ実行条件およびジョブの実行を要求するジョブ要求などを含むデータ）を通信部２１３が受信すると、主制御部２１０は、ジョブ要求を受けたと判断し、印刷ジョブを実行するための処理を行う。たとえば、ジョブデータに含まれる画像データに対する画像処理や、画像処理済みの画像データをエンジン制御部２２０に転送する処理などが主制御部２１０によって行われる。
【００２８】
エンジン制御部２２０は、ＣＰＵ２２１およびメモリー２２２（ＲＯＭおよびＲＡＭなど）を含む。エンジン制御部２２０は、画像読取部１０の読取動作を制御する。また、エンジン制御部２２０は、印刷部２０の印刷動作を制御する。
【００２９】
ここで、エンジン制御部２２０は、印刷動作の制御として、定着部２１の温度制御を行う。定着部２１の温度制御を行うため、複合機１００には温度検知部２４が設けられる。
【００３０】
温度検知部２４は、定着部２１の温度に応じた電圧を出力する温度センサーである。たとえば、温度検知部２４は、サーミスター２４ａを含む回路で構成される。サーミスター２４ａは、定着ローラー対２２の近傍に配置されており（図２参照）、定着ローラー対２２の温度に応じて抵抗値を変化させる。すなわち、温度検知部２４の出力電圧値は、定着部２１の温度に応じて変化する。なお、サーミスター２４ａは、定着ローラー対２２（加熱ローラー２２ａ）に接触されていてもよいし、非接触でもよい。
【００３１】
温度検知部２４の出力は、エンジン制御部２２０が受ける。そして、エンジン制御部２２０は、温度検知部２４の出力に基づき定着部２１の温度を検知し、当該検知した温度に基づき定着部２１の温度制御を行う。たとえば、エンジン制御部２２０は、ヒーター２３への電力供給のオンオフを切り替えることにより、定着部２１の温度を所定温度に昇温させ、定着部２１の温度を所定温度に維持させる。
【００３２】
また、複合機１００は、電源部３００を備える。電源部３００は、電圧を生成する電源回路や、電力供給を制御する電源制御回路などを含む。そして、電源部３００は、画像読取部１０、印刷部２０、操作パネル３０、主制御部２１０およびエンジン制御部２２０など複合機１００の各部を動作させるための電圧を生成する。また、電源部３００は、主制御部２１０から指示を受け、電力供給モードを切り替える。電力供給モードについては、後に詳細に説明する。
【００３３】
ここで、複合機１００は、蓄電給電部４００を備える。蓄電給電部４００は、蓄電給電制御回路４０１および蓄電池４０２を含む。蓄電給電制御回路４０１は、光発電モジュール４０から出力される電力の充電や供給を制御する。蓄電池４０２は、光発電モジュール４０から出力される電力を充電する。蓄電給電部４００は、主制御部２１０から指示を受け、所定の電力供給先への電力供給を制御する。たとえば、蓄電給電部４００は、温度検知部２４へ電力を供給する。
【００３４】
＜通常モードおよび省電力モード＞
複合機１００は、電力供給モードとして、通常モードおよび省電力モード（スリープモード）を搭載する。通常モードは、電源部３００が通常の電力供給を行うモードである。省電力モードは、電源部３００が行う電力供給を通常モードよりも制限するモード（消費電力を抑制するモード）である。
【００３５】
主制御部２１０は、通常モードのとき、複合機１００を通常モードから省電力モードへ移行させる条件として予め定められた移行条件が満たされたか否かの判断を行う。移行条件が満たされたと判断したとき、主制御部２１０は、電源部３００に指示し、複合機１００を通常モードから省電力モードへ移行させる。たとえば、主制御部２１０は、複合機１００が使用されないまま経過した時間である未使用時間を計時し、未使用時間が所定閾値時間を超えたとき、移行条件が満たされたと判断する。
【００３６】
なお、通常モードから省電力モードへの移行指示をユーザーから受け付けるためのハードウェアキー３３（省電力キー）が操作パネル３０に設けられてもよい。この場合、主制御部２１０は、通常モードのとき、操作パネル３０の省電力キーに対する操作を検知すると、移行条件が満たされたと判断する。
【００３７】
電源部３００は、通常モードのとき、画像読取部１０に通常の電力供給を行うことによって、画像読取部１０をジョブ（原稿の読み取りを伴うジョブ）の実行が可能な状態にする。また、電源部３００は、通常モードのとき、定着部２１を含む印刷部２０に通常の電力供給を行うことによって、印刷部２０をジョブ（印刷を伴うジョブ）の実行が可能な状態にする。一方で、電源部３００は、省電力モードのとき、画像読取部１０および印刷部２０への電力供給を停止する。したがって、画像読取部１０および印刷部２０は、省電力モードのとき、ジョブの実行が不可能な状態になる。
【００３８】
また、電源部３００は、通常モードのとき、操作パネル３０へ通常の電力供給を行う。このとき、操作パネル３０は、画面を表示し、ユーザーから操作を受け付ける。一方で、電源部３００は、省電力モードのとき、操作パネル３０へ供給する電力を通常モード時よりも制限する（操作パネル３０への電力供給を一部停止する）。たとえば、電源部３００は、タッチパネルディスプレイ３２の液晶表示パネル（バックライト）への電力供給を停止する。したがって、操作パネル３０は、省電力モードのとき、画面の表示を停止し、その状態で、ユーザーから操作を受け付ける。
【００３９】
さらに、電源部３００は、通常モードのとき、図示しないＨＤＤやＳＳＤなどの記憶デバイスへ通常の電力供給を行う。一方で、電源部３００は、省電力モードのとき、記憶デバイスへの電力供給を停止する。記憶デバイスは、たとえば、画像データなどを一時的に格納するための記憶領域として使用される。通常モードのときに電源部３００から電力供給を受け、省電力モードのときに電源部３００からの電力供給が停止される他のデバイスが複合機１００に設けられてもよい。
【００４０】
ここで、主制御部２１０は、通常モードのとき、電源部３００から温度検知部２４へ電力供給を行わせる。そして、主制御部２１０は、複合機１００を通常モードから省電力モードへ移行させるとき、電源部３００から温度検知部２４への電力供給を停止させ、蓄電給電部４００から温度検知部２４への電力供給を開始させる。
【００４１】
＜制御部による復帰処理＞
省電力モードのとき、主制御部２１０には、操作パネル３０が操作されると信号レベルが変化する操作信号や、通信部２１３が外部機器１０００から通信要求を受信すると信号レベルが変化する受信信号が入力される。このため、主制御部２１０は、省電力モードであっても、操作パネル３０に対して操作が行われたか否かの操作検知や、通信部２１３が外部機器１０００から通信要求を受信したか否かの受信検知を行える。
【００４２】
そして、省電力モードのとき、操作信号および受信信号のいずれかの信号レベルが変化すると、主制御部２１０は、複合機１００を省電力モードから通常モードへ復帰させる条件として予め定められた復帰条件が満たされたと判断する。復帰条件が満たされたと判断すると、主制御部２１０は、復帰条件が満たされた旨の復帰通知をエンジン制御部２２０に送信する。これにより、エンジン制御部２２０は、復帰条件が満たされたことを認識する。
【００４３】
主制御部２１０およびエンジン制御部２２０は、復帰条件が満たされると、複合機１００を省電力モードから通常モードへ復帰させるための予め定められた復帰処理を行う。特に限定されないが、主制御部２１０は、復帰処理として、電源部３００から操作パネル３０に対して通常の電力供給を行わせ、予め定められた初期画面を操作パネル３０に表示させる処理を行う。また、主制御部２１０は、復帰処理として、電源部３００から記憶デバイス（図示しないＨＤＤやＳＳＤなど）に対して通常の電力供給を行わせ、記憶デバイスと通信して記憶デバイスを認識する処理を行う。なお、ここで挙げた処理以外の処理が復帰処理として主制御部２１０により行われてもよい。
【００４４】
エンジン制御部２２０は、復帰通知を受信した後、電源部３００から画像読取部１０および印刷部２０への電力供給を開始させる処理を復帰処理として行う。また、エンジン制御部２２０は、電源部３００から温度検知部２４への電力供給を開始させる処理を復帰処理として行う。そして、このとき、エンジン制御部２２０は、蓄電給電部４００から温度検知部２４への電力供給を停止させる。すなわち、蓄電給電部４００から温度検知部２４への電力供給は、電源部３００が温度検知部２４への電力供給を停止しているときにだけ行われる。
【００４５】
エンジン制御部２２０により行われる復帰処理は他にも存在する。一例として、エンジン制御部２２０は、複合機１００の装置状態を検知するための状態検知センサー（図示せず）の出力に基づき、複合機１００の状態を検知する処理を行う。たとえば、複合機１００には、装置本体１００Ａに取り付けられたカバーの開閉を検知するためのセンサーや、装置本体１００Ａに収容された用紙がセットされるカセットの着脱を検知するためのセンサーなどが状態検知センサーとして設けられる。エンジン制御部２２０は、複合機１００の装置状態を検知すると、複合機１００の状態を示す状態情報を主制御部２１０に送信する。そして、主制御部２１０は、状態情報に基づき複合機１００の装置状態を認識し、当該認識した装置状態を記憶する処理や、当該認識した装置状態を示すメッセージを操作パネル３０に表示させる処理などを行う。
【００４６】
＜エンジン制御部による定着復帰処理＞
エンジン制御部２２０は、復帰条件が満たされると、復帰処理の一処理として、定着部２１の温度を所定温度に昇温させる定着復帰処理を行う。以下に具体的に説明する。
【００４７】
エンジン制御部２２０は、復帰条件が満たされたとき（復帰通知を受信したとき）、温度検知部２４の出力に基づき、定着部２１の温度を検知する。以下の説明では、復帰条件が満たされたときに検知された定着部２１の温度を復帰時温度と称する。
【００４８】
なお、復帰条件が満たされたときには、電源部３００から温度検知部２４への電力供給は未だ行われていない。しかし、このとき、蓄電給電部４００が温度検知部２４へ電力供給を行っている。したがって、エンジン制御部２２０は、復帰条件が満たされたとき、直ちに、定着部２１の温度（復帰時温度）を検知することができる。
【００４９】
復帰時温度を検知した後、エンジン制御部２２０は、復帰時温度に基づき定着復帰処理の開始タイミングを設定する。このとき、エンジン制御部２２０は、復帰時温度が高いほど、定着復帰処理の開始タイミングを遅くし、復帰時温度が低いほど、定着復帰処理の開始タイミングを早くする。
【００５０】
たとえば、復帰時温度が高い場合には低い場合に比べて、定着部２１の温度が所定温度に到達するまでの時間が短い。したがって、復帰時温度が高い場合に、復帰条件が満たされたタイミング（主制御部２１０からの復帰通知をエンジン制御部２２０が受信したタイミング）で定着復帰処理を開始すると、図６に示すように、復帰処理のうち定着復帰処理以外の他の処理の完了タイミングよりも早く定着部２１の温度が所定温度に到達することがある（定着部２１の温度が所定温度に到達した時点を「Ｔａ」で示す）。この場合、定着部２１の温度が所定温度に到達した後、定着部２１の温度を所定温度に維持する温度維持処理を定着復帰処理の一処理として行う必要がある（温度維持処理を行う期間を「ＴＭ」で示す）。すなわち、図６に示す例では、定着復帰処理の処理時間がＴ１となる。
【００５１】
一方で、復帰時温度が高い場合に、復帰条件が満たされたタイミングに対して、定着復帰処理の開始タイミングを遅らせると、図７に示すように、温度維持処理の処理時間が短くなる。あるいは、温度維持処理を行わなくてもよくなる。この場合には、定着復帰処理の処理時間がＴ２となるので、消費電力が抑制される。
【００５２】
このため、エンジン制御部２２０は、復帰時温度が高いほど、定着復帰処理の開始タイミングを遅くする。なお、復帰時温度が低い場合には、定着部２１の温度が所定温度に到達するまでに時間がかかるので、定着復帰処理の開始タイミングを早めた方がよい。したがって、エンジン制御部２２０は、復帰時温度が低いほど、定着復帰処理の開始タイミングを早くする。
【００５３】
以下に、図８に示すフローチャートを参照し、エンジン制御部２２０による定着復帰処理の流れについて説明する。図８に示すフローチャートのスタートは、復帰条件が満たされたとき（主制御部２１０からの復帰通知をエンジン制御部２２０が受信したとき）である。
【００５４】
ステップＳ１において、エンジン制御部２２０は、温度検知部２４の出力に基づき、定着部２１の温度（復帰時温度）を検知する。また、ステップＳ２において、エンジン制御部２２０は、メモリー２２２に記憶された待ち時間情報２２３（図５参照）に基づき、復帰時温度に対応する待ち時間を判別する。以下、エンジン制御部２２０が判別した待ち時間を対象待ち時間と称する。
【００５５】
ここで、待ち時間情報２２３は、復帰条件が満たされてから定着復帰処理を開始するまでの待ち時間を予め定めた情報であって、定着部２１の温度が高いほど、待ち時間が長くなるように、定着部２１の温度に対応する待ち時間を予め定めた情報である。特に限定されないが、待ち時間情報２２３では、省電力モード時の定着部２１の最高温度および最低温度が予め定められているとともに、最高温度から最低温度までの範囲が複数の温度範囲に分類されており、定着部２１の温度が高いほど、待ち時間が長くなるように、複数の温度範囲のそれぞれに対応する複数の待ち時間が定義される。
【００５６】
なお、待ち時間情報２２３で定義する各待ち時間は、復帰処理のうち定着復帰処理以外の他の処理の全てが完了するタイミングに対して、定着部２１の温度が所定温度に到達するタイミングが略一致するよう求められる。ただし、復帰処理のうち定着復帰処理以外の他の処理の全てが完了するまでにかかる予定時間に対して、定着部２１の温度が所定温度に到達するまでにかかる昇温時間が長くなる場合には、待ち時間は「０」となる。
【００５７】
エンジン制御部２２０が対象待ち時間を判別した後、ステップＳ３に移行する。ステップＳ３に移行すると、エンジン制御部２２０は、復帰条件が満たされてから対象待ち時間が経過したタイミングで定着復帰処理を開始する。これにより、復帰時温度が高いほど、定着復帰処理の開始タイミングが遅くなり、復帰時温度が低いほど、定着復帰処理の開始タイミングが早くなる。
【００５８】
＜光発電モジュールの取付構造＞
図９および図１０に示すように、支持部材５０は、光発電モジュール４０が操作パネル３０の操作面３０ａの上方に配置されるように、光発電モジュール４０を支持する。具体的には、支持部材５０は、直線的に延びるように形成されるとともに、読取筐体１１の左側面および右側面にそれぞれ配置される。そして、支持部材５０の延伸方向の一方端部に光発電モジュール４０が取り付けられ、支持部材５０の一方端部とは反対側の他方端部が読取筐体１１の側面（装置本体１００Ａ）に取り付けられる。
【００５９】
ここで、支持部材５０の一方端部には回動軸５０１が設けられており、その回動軸５０１にモジュール筐体４１が連結されることによって、支持部材５０に対して光発電モジュール４０が取り付けられた状態となっている。これにより、図１１に示すように、光発電モジュール４０は、回動軸５０１を支点とし、支持部材５０に対して回動する。特に限定されないが、回動軸５０１としてトルクヒンジ軸が用いられる。このため、光発電モジュール４０が自重で回動することはない（光発電モジュール４０を任意の傾き角で保持することができる）。
【００６０】
なお、光発電モジュール４０を支持部材５０に対して際限なく回転させると、光発電モジュール４０から延びる電線４６（図１６参照）がねじる。このため、光発電モジュール４０の上面（上方に向けるべき面）と下面（下方に向けるべき面）とが予め定められる。そして、図示しないが、光発電モジュール４０の上面が下方に向かないように（換言すれば、光発電モジュール４０の下面が上方に向かないように）、光発電モジュール４０の回動範囲を規制するための規制部材が支持部材５０に設けられる。以下、光発電モジュール４０の各面のうち、第１受光面４０ａが上面とされ、第２受光面４０ｂが下面とされているとする。
【００６１】
＜支持部材の回動および伸縮＞
図１０〜図１２に示すように、支持部材５０の他方端部（光発電モジュール４０が取り付けられた端部とは反対側の端部）には、回動軸５０２が設けられる。この回動軸５０２は、読取筐体１１の側面に設けられた支持部（図示せず）に回動可能に軸支される。したがって、支持部材５０は、回動軸５０２を支点とし、一方端部（光発電モジュール４０が取り付けられた端部）を上下方向に振るように回動する。
【００６２】
支持部材５０が回動すると、支持部材５０に取り付けられた光発電モジュール４０が上下方向に移動する。光発電モジュール４０が下方に移動するよう支持部材５０をＤ１方向に回動させた場合、光発電モジュール４０が操作パネル３０に接近する。一方で、光発電モジュール４０が上方に移動するよう支持部材５０をＤ２方向に回動させた場合、光発電モジュール４０が操作パネル３０から離れる。
【００６３】
たとえば、読取筐体１１の側面には、支持部材５０のＤ１方向への回動を停止させるための下限ストッパー１１１および支持部材５０のＤ２方向への回動を停止させるための上限ストッパー１１２が設けられる。特に限定されないが、下限ストッパー１１１および上限ストッパー１１２は、それぞれ、ゴムなどの弾性材によって形成される。
【００６４】
これにより、支持部材５０が下限ストッパー１１１に当接して以降は、支持部材５０をＤ１方向に回動させることはできない（図１２参照）。一方で、支持部材５０が上限ストッパー１１２に当接して以降は、支持部材５０をＤ２方向に回動させることはできない（図１０および図１１参照）。したがって、支持部材５０が下限ストッパー１１１に当接したときの支持部材５０の位置が下限位置（「第１位置」に相当）となり、支持部材５０が上限ストッパー１１２に当接したときの支持部材５０の位置が上限位置（「第２位置」に相当）となる。すなわち、支持部材５０は、下限位置と上限位置との間で回動する。
【００６５】
上限位置に在る支持部材５０をＤ１方向に回動させると、図１３に示すように、光発電モジュール４０が下方に移動し、光発電モジュール４０が操作パネル３０に当接する。たとえば、操作パネル３０の操作面３０ａには、光発電モジュール４０が当接したときの衝撃を緩和するため、ゴムなどからなるクッション部材３４が設けられる。そして、光発電モジュール４０がクッション部材３４に当接して以降、支持部材５０をＤ１方向にさらに回動させ続けると、支持部材５０が下限位置に到達し、図１２に示す状態となる。
【００６６】
そして、支持部材５０が下限位置に到達すると、操作パネル３０の操作面３０ａが光発電モジュール４０によって塞がれる（覆われる）。このとき、光発電モジュール４０の第１受光面４０ａ（上面）は、操作パネル３０の操作面３０ａに対向する方向とは逆方向に向く。そして、光発電モジュール４０の第２受光面４０ｂ（下面）は、操作パネル３０の操作面３０ａと対向する。
【００６７】
光発電モジュール４０が操作パネル３０の操作面３０ａを塞ぐ位置に配置されると、光発電モジュール４０の第１受光面４０ａが上方に向くので、太陽光や人工光などの光が第１受光面４０ａに入射し、その光を利用した発電が光発電モジュール４０にて行われる。さらに、光発電モジュール４０が操作パネル３０の操作面３０ａを塞ぐ位置に配置された状態において、操作パネル３０が表示動作を行った場合（表示光を発した場合）には、光発電モジュール４０の第２受光面４０ｂに操作パネル３０の表示光が入射する。したがって、操作パネル３０の表示光を利用した発電が光発電モジュール４０にて行われる。
【００６８】
一方で、支持部材５０をＤ２方向に回動させ、支持部材５０が上限位置に到達すると、図１０および図１１に示す状態となる。すなわち、支持部材５０が上限位置に在るとき、光発電モジュール４０は、操作パネル３０の操作面３０ａを露出させる。このときには、光発電モジュール４０を支持部材５０に対して任意に回動させることができる（図１１参照）。このため、光発電モジュール４０の傾き角を任意に変更することができる。
【００６９】
ここで、支持部材５０は、引張バネなどの付勢部材１１３によって、下限位置から上限位置に向かって回動するよう常に付勢される。たとえば、付勢部材１１３として引張バネを用いる場合、引張バネの一端は、支持部材５０に取り付けられ、引張バネの他端は、読取筐体１１から突出するバネ用ポスト１１４に取り付けられる。
【００７０】
また、図１４に示すように、光発電モジュール４０および操作パネル３０には、それぞれ、モジュール側係合部４５およびパネル側係合部３５が設けられる。なお、モジュール側係合部４５およびパネル側係合部３５は、それぞれ、「第１係合部」および「第２係合部」に相当する。
【００７１】
モジュール側係合部４５は、ホルダー４５１に回動可能に取り付けられたアクチュエーター４５２を含む。このアクチュエーター４５２は、ホルダー４５１に設けられた回動軸４５１ａを支点として回動する。アクチュエーター４５２の一方端４５３は、係合片として機能するよう爪状に形成される（以下、係合片４５３と称する）。アクチュエーター４５３の他方端４５４は、圧縮バネなどの付勢部材４５５によって付勢される。パネル側係合部３５は、係合片４５３と係合可能に形成された係合突起３５１を含む。
【００７２】
そして、モジュール側係合部４５およびパネル側係合部３５は、支持部材５０を下限位置に到達するまで回動させることによって互いに係合する。以下、具体的に説明する。
【００７３】
まず、光発電モジュール４０が操作パネル３０から離れている状態（図１４の上図の状態）から、支持部材５０を回動させることにより光発電モジュール４０を下方に移動させると、係合片４５３が係合突起３５１に当接する。この状態から、光発電モジュール４０をさらに下方に移動させ続けると、アクチュエー４５２が付勢部材４５５の付勢力に抗して回動する。その後、支持部材５０が下限位置に到達するまで光発電モジュール４０を下方に移動させ続けると、係合片４５３が係合突起３５１の下方に入り込み、係合片４５３と係合突起３５１とが係合した状態（図１４の下図の状態）となる。
【００７４】
したがって、支持部材５０が下限位置に在るとき（図１２に示す状態のとき）には、モジュール側係合部４５およびパネル側係合部３５が互いに係合するので、支持部材５０が付勢部材１１３の付勢力によって上限位置に向かって回動することはない。すなわち、光発電モジュール４０が上方に移動することはない（光発電モジュール４０が操作パネル３０の操作面３０ａを塞ぐ位置で保持される）。
【００７５】
なお、モジュール側係合部４５とパネル側係合部３５との係合は、アクチュエーター４５２の他方端４５４を付勢部材４５５の付勢力に抗して内側に押し込むことによって解除される。モジュール側係合部４５とパネル側係合部３５との係合が解除されると、付勢部材１１３の付勢力によって支持部材５０が下限位置から上限位置に向かって回動する。
【００７６】
これにより、支持部材５０が下限位置に在るとき、アクチュエーター４５２の他方端４５４を押すだけで、支持部材５０を下限位置から上限位置に向かって回動させることができる。すなわち、操作パネル３０の操作面３０ａを露出させることができる（操作パネル３０に対する操作が可能となる）。なお、このように構成する場合、支持部材５０が上限ストッパー１１２に衝突したときの衝撃を緩和するため、上限ストッパー１１２としてダンパーなどを用いてもよい。
【００７７】
また、光発電モジュール４０は、上下方向だけでなく、支持部材５０の延伸方向にも移動可能である。言い換えると、支持部材５０が延伸方向に伸縮可能となっている。
【００７８】
たとえば、図１５および図１６に示すように、支持部材５０は、レール部材５１およびスライド部材５２を含む。レール部材５１は、読取筐体１１に取り付けられる部材であって、読取筐体１１に軸支される回動軸５０２を有する。スライド部材５２は、レール部材５１にスライド可能に支持され、レール部材５１に対してスライドする（支持部材５０が延伸方向に伸縮する）。そして、光発電モジュール４０は、回動軸５０１を介してスライド部材５２に連結される。
【００７９】
特に限定されないが、レール部材５１は、断面形状が略コの字形状（一部に切れ目が入った環状）となるよう形成される。すなわち、レール部材５１は、内側にスペースを有する。そして、スライド部材５２は、レール部材５１の内側に挿入される。これにより、スライド部材５２は、レール部材５１の内面にガイドされつつ、延伸方向にスライド可能となる。たとえば、レール部材５１の内底面には、ゴムなどからなる滑り止め用の摩擦シート５３が配置される。この摩擦シート５３はスライド部材５２に当接するので、スライド部材５２が自重で滑り落ちるのを抑制することができる。
【００８０】
また、スライド部材５２は、レール部材５１と同様、断面形状が略コの字形状となるよう形成される。そして、支持部材５０の内側のスペースは、光発電モジュール４０から延びる電線４６を収容するための収容スペース５４とされる。たとえば、支持部材５０に形成されたスリットから支持部材５０の内側に電線４６を挿入することにより、収容スペース５４に電線４６を収容することができる。
【００８１】
本実施形態の複合機１００は、上記のように、電力供給を受けて昇温する定着ローラー対２２（定着部材）を含み、所定温度に昇温された定着ローラー対２２によって用紙Ｐに転写されたトナー像を用紙Ｐに定着させる定着部２１と、電力供給を受けて定着部２１の温度に応じた電圧を出力する温度検知部２４と、通常モード時には定着部２１および温度検知部２４へ電力供給を行い、省電力モード時には定着部２１および温度検知部２４への電力供給を停止する電源部３００と、温度検知部２４の出力に基づき定着部２１の温度を検知して定着部２１の温度制御を行うとともに、復帰条件が満たされたときには、定着部２１の温度を所定温度に昇温させる定着復帰処理を含む予め定められた復帰処理を行うことにより、複合機１００を通常モードへ復帰させるエンジン制御部２２０（制御部）と、光を受けて発電する光発電モジュール４０と、光発電モジュール４０から出力される電力を充電するとともに、電源部３００から温度検知部２４への電力供給が停止されているときに、温度検知部２４へ電力供給を行う蓄電給電部４００と、を備える。さらに、エンジン制御部２２０のメモリー２２２（記憶部）には、復帰条件が満たされてから定着復帰処理を開始するまでの待ち時間を予め定めた情報であって、定着部２１の温度が高いほど、待ち時間が長くなるように、定着部２１の温度に対応する待ち時間を予め定めた情報である待ち時間情報２２３が記憶される。
【００８２】
エンジン制御部２２０は、復帰条件が満たされたとき、温度検知部２４の出力に基づき定着部２１の温度（復帰時温度）を検知する。また、エンジン制御部２２０は、待ち時間情報２２３に基づき、復帰時温度に対応する待ち時間を対象待ち時間として判別する。そして、エンジン制御部２２０は、復帰条件が満たされてから、対象待ち時間が経過したタイミングで、定着復帰処理を開始する。すなわち、エンジン制御部２２０は、復帰時温度が高いほど、定着復帰処理の開始タイミングを遅くし、復帰時温度が低いほど、定着復帰処理の開始タイミングを早くする。
【００８３】
本実施形態の構成では、復帰条件が満たされたときにエンジン制御部２２０により検知された復帰時温度が高いほど（定着部２１の温度を所定温度に昇温させるのに要する時間が短いほど）、定着復帰処理の開始タイミングが遅くなるので、復帰処理のうち定着復帰処理以外の他の処理が完了するタイミングに対して定着部２１の温度が所定温度に到達するタイミングが早くなり過ぎるのを抑制することができる（各タイミングの時間差を小さくすることができる）。ここで、定着部２１の温度が所定温度に到達したとき、他の処理が完了していなければ、定着部２１の温度を所定温度に維持する温度維持処理を定着復帰処理として追加的に行う必要がある。しかし、前記時間差を小さくすることができれば、温度維持処理の処理時間が短くなる。これにより、温度維持処理を含む定着復帰処理の処理時間が短くなるので、定着復帰処理で使用する電力を抑制することができる。
【００８４】
また、この構成では、復帰条件が満たされたとき（省電力モードのとき）には電源部３００から温度検知部２４への電力供給は停止されているが、蓄電給電部４００から温度検知部２４へは電力が供給されている。このため、エンジン制御部２２０は、復帰条件が満たされたとき、直ちに、定着部２１の温度検知（復帰時温度の検知）を行うことができ、定着復帰処理の開始タイミングを遅くするか早くするかの判断を行うことができる。
【００８５】
また、本実施形態の複合機１００は、上記のように、ユーザーから操作を受け付ける操作面３０ａを有する操作パネル３０と、光発電モジュール４０が操作パネル３０の操作面３０ａの上方に配置されるように、光発電モジュール４０を支持する支持部材５０とを備える。そして、光発電モジュール４０は、支持部材５０に対して回動可能に支持される。
【００８６】
光発電モジュール４０を支持部材５０に対して回動可能に支持した構成では、光の入射方向に応じて光発電モジュール４０を支持部材５０に対して回動させれば（光発電モジュール４０の傾きを調整すれば）、操作パネル３０の操作面３０ａで光が反射されないように、光発電モジュール４０によって光を遮ることができる。したがって、光発電モジュール４０が遮光部材を兼ねているので、遮光部材を別途設けなくても、操作パネル３０の操作面３０ａで光が反射することに起因して操作パネル３０の操作面３０ａが見難くなる、という不都合が生じるのを抑制することができる。特に、光発電モジュール４０の発電量を増大させるために日当たりの良い窓際に複合機１００を設置した場合には、人工光（蛍光灯の光など）だけでなく太陽光も操作パネル３０の操作面３０ａに入射するので、操作パネル３０の操作面３０ａがより見難くなり得るところ、本実施形態の構成では、窓から操作パネル３０の操作面３０ａに入射する太陽光を遮るように光発電モジュール４０の傾きを調整することにより、光発電モジュール４０の発電量を増大させることができるとともに、操作パネル３０の操作面３０ａで太陽光が反射することに起因して操作パネル３０の操作面３０ａが見難くなることを回避することができる。
【００８７】
なお、操作パネル３０の操作面３０ａの上方に光発電モジュール４０を配置すると、ユーザーによっては、操作パネル３０の操作面３０ａが見難くなる場合がある。しかし、光発電モジュール４０は支持部材５０に対して回動可能に支持されるので、操作パネル３０の操作面３０ａが見易くなるように、光発電モジュール４０の傾きを調整することができる。
【００８８】
また、本実施形態では、上記のように、光発電モジュール４０は、支持部材５０が下限位置に向かって回動することによって操作パネル３０の操作面３０ａに接近する方向に移動し、支持部材５０が下限位置に到達すると操作パネル３０の操作面３０ａを塞ぎ、支持部材５０が下限位置から上限位置に向かって回動することによって操作パネル３０の操作面３０ａから離れる方向に移動する。この構成では、たとえば、複合機１００を使用しないときに支持部材５０を下限位置に保持しておけば、操作パネル３０の操作面３０ａが光発電モジュール４０によって塞がれた状態になるので、操作パネル３０の操作面３０ａに埃が付着するのを抑制することができる。すなわち、操作パネル３０の操作面３０ａに埃が付着するのを抑制するための専用のカバーを別途設ける必要はない（部品点数を増加させることなく、操作パネル３０の操作面３０ａに埃が付着するのを抑制することができる）。なお、操作パネル３０に対する操作を行うときには、光発電モジュール４０を下限位置から上限位置に向かって回動させ、光発電モジュール４０を操作パネル３０の操作面３０ａから離間させることによって、操作パネル３０の操作面３０ａを露出させればよい。
【００８９】
また、本実施形態では、上記のように、表示光を発するタッチパネルディスプレイ３２が操作パネル３０の操作面３０ａに配置される。そして、光発電モジュール４０は、表面および裏面の両面が受光面として機能する。この構成では、光発電モジュール４０の第２受光面４０ｂが操作パネル３０の操作面３０ａと対向しているときに、タッチパネルディスプレイ３２が発する表示光を発電モジュール４０の発電に利用することができる。
【００９０】
また、本実施形態では、上記のように、支持部材５０は、付勢部材１１３の付勢力により下限位置から上限位置に向かって回動するよう付勢される。また、光発電モジュール４０にはモジュール側係合部４５が設けられるとともに、操作パネル３０にはモジュール側係合部４５と係合可能なパネル側係合部３５が設けられる。そして、モジュール側係合部４５およびパネル側係合部３５は、支持部材５０が下限位置に在るときに、互いに係合する。この構成では、操作パネル３０の操作面３０ａが光発電モジュール４０によって塞がれているときに、モジュール側係合部４５とパネル側係合部３５との係合を解除すると、操作パネル３０が上方に移動する（支持部材５０が下限位置から上限位置に向かって回動する）ので、操作パネル３０の操作面３０ａが露出する。これにより、操作パネル３０の操作面３０ａが光発電モジュール４０によって塞がれた状態から、ワンタッチで、操作パネル３０に対する操作が行える状態にすることができる。
【００９１】
また、本実施形態では、上記のように、支持部材５０は、レール部材５１と、レール部材５１にスライド可能に支持されるスライド部材５２とを含む。そして、光発電モジュール４０は、スライド部材５２に支持される。この構成では、光発電モジュール４０の傾きだけでなく、光発電モジュール４０の前後方向（支持部材５０の延伸方向）の位置調整も行うことができる。
【００９２】
また、本実施形態では、上記のように、支持部材５０は、内側に収容スペース５４が確保されるように形成されており、光発電モジュール４０から延びる電線４６を収容スペース５４に収容する。この構成では、光発電モジュール４０を装置本体１００Ａから離れた位置（操作パネル３０の操作面３０ａの上方）に配置しても、電線４６がむき出しになるのを抑制することができる。
【００９３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００９４】
たとえば、支持部材５０を回動させるためのモーターを複合機１００に設け、そのモーターの駆動を主制御部６０により制御し、支持部材５０を回動させてもよい（光発電モジュール４０を上下方向に移動させてもよい）。
【００９５】
また、このように構成する場合、複合機１００の電力供給モードを通常モードから省電力モード（スリープモード）に移行するときに、支持部材５０を下限位置に回動させ、操作パネル３０の操作面３０ａを光発電モジュール４０で塞ぐようにしてもよい。
【符号の説明】
【００９６】
２１  定着部
２２  定着ローラー対（定着部材）
２４  温度検知部
３０  操作パネル
３０ａ  操作面
３１  タッチパネルディスプレイ（表示パネル）
３５  パネル側係合部（第２係合部）
４０  光発電モジュール
４５  モジュール側係合部（第１係合部）
５０  支持部材
５１  レール部材
５２  スライド部材
５４  収容スペース
１１３  付勢部材
２２０  エンジン制御部２２０（制御部）
３００  電源部
４００  蓄電給電部
【図１】
2018084669.tif 000003
【図２】
2018084669.tif 000004
【図３】
2018084669.tif 000005
【図４】
2018084669.tif 000006
【図５】
2018084669.tif 000007
【図６】
2018084669.tif 000008
【図７】
2018084669.tif 000009
【図８】
2018084669.tif 000010
【図９】
2018084669.tif 000011
【図１０】
2018084669.tif 000012
【図１１】
2018084669.tif 000013
【図１２】
2018084669.tif 000014
【図１３】
2018084669.tif 000015
【図１４】
2018084669.tif 000016
【図１５】
2018084669.tif 000017
【図１６】
2018084669.tif 000018